(57)【要約】  本発明は、モータモータにその両側から挟むようにして取り付けられる第1及び第２ポンプ部を有するツインポンプの第１及び第２ポンプがモータに対して相互に相対的にずれている場合でも、当該ツインポンプを載置面に適正に設置できるようにするポンプ設置用部材を提供することを目的とする。本発明では、このポンプ設置用部材は、第１及び第２ポンプ部の所定の設置用部位に固定されるそれぞれ別個の第１及び第２支持部材（２０），（２２）と、該第１及び第２支持部材と設置面との間に設定される設置用弾性部材（２６）とを有する。該設置用弾性部材は、該第１及び第２支持部材を設置面に締着するときに、該第１及び第２支持部材の設置面に向けての変位に伴い弾性変形可能としている。
2020121956.tif 000002
【特許請求の範囲】
【請求項１】
両側に出力軸が延出する１つのモータと、該モータを該両側から挟むようにして該モータに取り付けられて対応する該出力軸により駆動される第１及び第２ポンプ部とを有するツインポンプを設置面に設置するためのポンプ設置用部材であって、  該第１及び第２ポンプ部の所定の設置用部位に固定されるそれぞれ別個の第１及び第２支持部材と、  該第１及び第２支持部材と設置面との間に設定される設置用弾性部材と、  を有し、  該第１及び第２支持部材を、該設置用弾性部材を介して該設置面に向けて押圧するようにして該設置面に締着することができるようにしたポンプ設置用部材。
【請求項２】
該第１及び第２支持部材を連結する連結用弾性部材を有する請求項１に記載のポンプ設置用部材。
【請求項３】
該第１及び第２支持部材が、それぞれ平板状部材とされている請求項２に記載のポンプ設置用部材。
【請求項４】
該連結用弾性部材が該第１及び第２支持部材の該設置面に向かう側に取り付けられている請求項２又は３に記載のポンプ設置用部材。
【請求項５】
該第１及び第２支持部材が、それぞれ平板状部材とされ、１つの平面上で間隔をあけて相互に対向し、対向する縁が平行となるような位置とされて該連結用弾性部材により連結されている請求項２乃至４の何れか一項に記載のポンプ設置用部材。
【請求項６】
該連結用弾性部材は、相互に対向配置された第１及び第２支持部材の両側に沿って延びる２つの細長い弾性部材を有する請求項５に記載のポンプ設置用部材。
【請求項７】
該設置用弾性部材は、該連結用弾性部材から延びて該第１及び第２支持部材の側縁から外側に延出した位置となるようにされている請求項２乃至６の何れか一項に記載のポンプ設置用部材。
【請求項８】
該設置用弾性部材は、該第１及び第２支持部材側から該設置面側に向けて貫通し、当該第１及び第２支持部材を該設置面に締着するためのボルトの軸部を通すボルト挿通孔を有し、ボルトを該ボルト挿通孔に挿通し、設置面に設けたネジ穴にねじ係合することにより当該ボルトの頭部で該設置用弾性部材を押圧可能とされている請求項７に記載のポンプ設置用部材。
【請求項９】
該連結用弾性部材は該第１及び第２支持部材の該対向する縁の間に嵌合し、該縁に沿って該第１及び第２支持部材に接着されている嵌合突起部を有する請求項５又は６に記載のポンプ設置用部材。  
【発明の詳細な説明】
【技術分野】
【０００１】  本発明は、両側に出力軸が延出する１つのモータと、該モータにその両側から挟むようにして取り付けられてそれぞれ対応する該出力軸により駆動される第１及び第２ポンプ部とを有するツインポンプを設置面に設置するためのポンプ設置用部材に関する。
【背景技術】
【０００２】  上述のようなツインポンプにおいては、第１及び第２ポンプ部が同じケーシングを有し、該ケーシングの所定部位に当該ツインポンプの設置面への設置用部位が設けられている（特許文献１、２参照）。第１及び第２ポンプ部がモータに対して正確に取り付けられた場合、第１及び第２ポンプ部の両設置用部位を設置面に対して適正に向けて設置することが可能となる。しかし、実際には第１及び第２ポンプ部がモータに対する適正な取付位置から微妙にずれた状態で取り付けられることがある。その場合、第１及び第２ポンプ部の設置用部位は相互に相対的にずれてしまい、このため設置面への適正な設置ができない場合が生じる。
【先行技術文献】
【特許文献】
【０００３】
【特許文献１】特表２００４-５１１７２４号公報
【特許文献２】特表２００３-５１５０６１号公報
【発明の概要】
【発明が解決しようとする課題】
【０００４】  本発明はツインポンプの第１及び第２ポンプ部における当該ツインポンプの設置面への設置用部位が相互に相対的にずれている場合でも、該設置面に適正に取り付けることを可能とするポンプ設置用部材を提供することを目的としている。
【課題を解決するための手段】
【０００５】  すなわち、本発明は  両側に出力軸が延出する１つのモータと、該モータを該両側から挟むようにして該モータに取り付けられて対応する該出力軸により駆動される第１及び第２ポンプ部とを有するツインポンプを設置面に設置するためのポンプ設置用部材であって、  該第１及び第２ポンプ部の所定の設置用部位に固定されるそれぞれ別個の第１及び第２支持部材と、  該第１及び第２支持部材と設置面との間に設定される設置用弾性部材と、  を有し、  該第１及び第２支持部材を、該設置用弾性部材を介して該設置面に向けて押圧するようにして該設置面に締着することができるようにしたポンプ設置用部材を提供する。  ここで、「該第１及び第２支持部材と設置面との間に設定される設置用弾性部材」とあるのは、当該設置用弾性部材が「第１及び第２支持部材と設置面との間に挟着」されることに限定されるものではなく、ツインポンプを設置面の上方から当該設置面上に載置して設置するものと仮定して、その上下方向で設置面と第１及び第２支持部材の中間的位置に当該設置用弾性部材を設定することを意味する。【０００６】  このようにすることにより、第１及び第２ポンプ部の設置用部位が相互に相対的にずれている場合でも、設置用弾性部材を第１及び第２支持部材と設置面との間でそのずれに応じて押圧変形させて設定することが可能となるため、ツインポンプを設置面に対してしっかりと設置することが可能となる。【０００７】  このポンプ設置用部材においては、該第１及び第２支持部材を連結する連結用弾性部材を有するようにすることができる。これにより、該第１及び第２支持部材を一体のものとして扱うことができ取り扱いが容易になると共に、該第１及び第２ポンプ部の設置用部位が相互に相対的にずれている場合でも、当該連結用弾性部材が弾性変形して、第１及び第２支持部材を第１及び第２ポンプ部の設置用部位にそれぞれ適切に取り付けることを妨げないようにできる。【０００８】  具体的には該第１及び第２支持部材を、それぞれ平板状部材とすることができる。【０００９】  また、該連結用弾性部材を該第１及び第２支持部材の該設置面に向かう側に取り付けたものとすることもができる。ただ、連結用弾性部材は、設置面とは反対側に取り付けることも、また、第１及び第２支持部材の間に位置するように設けることも可能である。【００１０】  より具体的には、該第１及び第２支持部材が、それぞれ平板状部材とされ、１つの平面上で間隔をあけて相互に対向し、対向する縁が平行となるような位置とされて該連結用弾性部材により連結されるようにすることができる。【００１１】  更に具体的には、該連結用弾性部材は、相互に対向配置された第１及び第２支持部材の両側に沿って延びる２つの細長い弾性部材を有するようにすることができる。【００１２】  また、該設置用弾性部材は、該連結用弾性部材から延びて該第１及び第２支持部材の側縁から外側に延出した位置となるようにすることができる。【００１３】  この場合、該設置用弾性部材は、該第１及び第２支持部材側から該設置面側に向けて貫通し、当該第１及び第２支持部材を該設置面に締着するためのボルトの軸部を通すボルト挿通孔を有し、ボルトを該ボルト挿通孔に挿通し、設置面に設けたネジ穴にねじ係合することにより当該ボルトの頭部で該設置用弾性部材を押圧可能とすることができる。【００１４】  また、該連結用弾性部材は該第１及び第２支持部材の該対向する縁の間に嵌合し、該縁に沿って該第１及び第２支持部材に接着されている嵌合突起部を有するようにすることができる。この嵌合突起部により該第１及び第２支持部材をより一枚の板状のものとして扱うことを可能とする。【００１５】  以下、本発明に係るポンプ設置用部材の実施形態を添付図面に基づき説明する。
【図面の簡単な説明】
【００１６】
【図１】図１は、本発明に係るポンプ設置用部材を取り付けたツインポンプの斜視図である。
【図２】図２は、同ポンプ設置用部材の斜視図である。
【図３】図３は、同ポンプ設置用部材の分解斜視図である。
【発明を実施するための形態】
【００１７】  先ず本発明に係るポンプ設置用部材１０を用いて設置されるツインポンプ１２の概要を説明する。  該ツインポンプ１２は、中央にあるモータを両側から挟んで囲むように設定された第１ポンプ部１４及び第２ポンプ部１６を有する。図示の例では、第１及び第２ポンプ部１４、１６はその第１及び第２ケーシング１４ａ、１６ａが当該ツインポンプ１２の中央で衝き合わされるようにされている。モータはこの第１及び第２ケーシング１４ａ、１６ａ内にあり外からは見えない。第１及び第２ポンプ部１４、１６はこのモータの両側から延出する出力軸により駆動されてポンプ作用を行い、それぞれの吐出口１４ｂ、１６ｂから流体の吐出を行うようになっている。これらの吐出口１４ｂ、１６ｂには（図示しない）配管が接続され、接続された配管を通して流体供給が行われる。
【００１８】  ポンプ設置用部材１０は、全体として平板状に形成されており、ツインポンプ１２の図１で見て下側に取り付けられるようになっている。具体的には、ポンプ設置用部材１０は第１ポンプ部１４及び第２ポンプ部１６をそれぞれ支持する第１支持部材２０及び第２支持部材２２と、該第１及び第２支持部材２０、２２を相互に連結する連結用弾性部材２４と、当該ツインポンプ１２の（図示しない）設置面上におかれてボルトにより締着される脚状の設置用弾性部材２６とを有する。第１及び第２支持部材２０、２２はほぼ矩形の平板状とされており、１つの平面上で間隔をあけて相互に対向し、対向する縁が平行となるような配置とされている。第１及び第２支持部材２０、２２はそれぞれの上面側に幾分隆起した第１及び第２ポンプ支持固定部２０ａ、２２ａを有しており、第１及び第２ケーシング１４ａ、１６ａの所定位置に設けられる（図示しない）設置用部位を該第１及び第２ポンプ支持固定部２０ａ、２２ａに組み付けてボルトで固定するようになっている。
【００１９】  前述したように、第１及び第２ケーシング１４ａ、１６ａは図示しないモータの両側から衝き合わせて連結固定されるが、この連結固定したときの第１及び第２ケーシング１４ａ、１６ａの位置が相互に相対的にずれる場合がある。このため、このずれた状態での第１及び第２ケーシング１４ａ、１６ａにそれぞれ固定される第１及び第２支持部材２０、２２はそのずれに応じて相互に相対的にずれることになるが、これには連結用弾性部材２４が変形して対応する。図示の例では、連結用弾性部材２４は、第１及び第２支持部材２０、２２の両側縁に沿って延びる細長いストリップ状の２つの弾性部材２４ａ、２４ｂから構成され第１及び第２支持部材２０、２２の下面（当該ツインポンプの設置面に向かう面）に接着されるようになっている。各弾性部材２４ａ、２４ｂは第１及び第２支持部材２０、２２の間の空間に嵌合されて対向する縁に沿って第１及び第２支持部材２０、２２に接着される嵌合突起部２４ｃ、２４ｄを有している。
【００２０】  各弾性部材２４ａ、２４ｂには第１及び第２支持部材２０、２２の側縁から外側に延出する脚状の設置用弾性部材２６が設けられている。各設置用弾性部材２６は弾性部材２４ａ、２４ｂから該弾性部材２４ａ、２４ｂよりも下方に、従って、第１及び第２支持部材２０、２２よりも下方に、すなわち設置面に向かうように延びており、当該ポンプ設置用部材１０を設置面上に載せた状態では、該第１及び第２支持部材２０、２２と設置面との間の位置となるようになっている。図示の例では、該脚状の設置用弾性部材２６は、それぞれ、当該第１及び第２支持部材２０、２２を設置面に締着するための（図示しない）ボルトの軸部を通すボルト挿通孔２６ａを有しており、ボルトを該ボルト挿通孔２６ａに挿通し、設置面に設けたネジ穴にねじ係合することにより当該ボルトの頭部で設置用弾性部材２６を押圧可能とされている。図示の例では、設置用弾性部材２６はボルトの頭部を受け入れるボルト頭部受入れ部２６ｂを有している。従って、第１及び第２支持部材２０、２２が相対的にずれて同一平面上にない場合でも、設置用弾性部材２６をボルトで設置面に締着することにより、設置用弾性部材２６が第１及び第２支持部材２０、２２のずれを吸収して、これら第１及び第２支持部材２０、２２を設置面にしっかりと取り付けることを可能としている。
【００２１】  以上、本発明に係るポンプ設置用部材１０の一実施形態を示したが本発明はこれに限定されるものではない。例えば、設置用弾性部材２６は当該ポンプ設置用部材１０を設置面上に締着するときに第１及び第２支持部材２０、２２が設置面に向けて変位されることに伴い弾性変形可能なものであればよく、例えば、締着用のボルトを第１及び第２支持部材２０、２２に通して設置面に設けたボルト穴にねじ係合するようにし、それにより弾性変形するようなものであればよい。従って、この場合の設置用弾性部材は第１及び第２支持部材２０、２２の下面に直接設けることができる。
【符号の説明】
【００２２】ポンプ設置用部材１０ツインポンプ１２第１ポンプ部１４第２ポンプ部１６第１ケーシング１４ａ第２ケーシング１６ａ吐出口１４ｂ、１６ｂ第１支持部材２０第１ポンプ支持固定部２０ａ第２支持部材２２第２ポンプ支持固定部２２ａ連結用弾性部材２４弾性部材２４ａ、２４ｂ嵌合突起部２４ｃ、２４ｄ設置用弾性部材２６ボルト挿通孔２６ａボルト頭部受入れ部２６ｂ
【図１】
2020121956.tif 000003
【図２】
2020121956.tif 000004
【図３】
2020121956.tif 000005
【国際調査報告】
2020121956.tif 000006
2020121956.tif 000007
2020121956.tif 000008
2020121956.tif 000009